(57)【要約】【課題】  ハンモック等のような大掛かりな介護用装置を用いることなく、簡単な構成で、狭い着座領域に着座している被介護者を安定して移乗させることができるようにすること。【解決手段】  操作レバー１１５を操作することによって臀部支持部１１０の各プレート１０８、１０９の他端側を近接させ、台車１０１を被介護者側に移動させることによって着座姿勢にある被介護者の臀部下に臀部支持部１１０を差し込み、操作レバー１１５の操作解除によって各プレート１０８、１０９の前記他端側を相互に離れた位置に動かした後、ハンドル１１８を矢印Ｂ方向に傾けることによって支持部本体１１４を傾動させる。これにより、臀部支持部１１０を上方に傾けて、被介護者を臀部支持部１１０上に着座した状態で持ち上げて支える。被介護者の胸部は支持部本体１１４によって支えられる。この状態で移動先へ運んで移乗させる。【選択図】  図１
2010246792.tif 000002
【特許請求の範囲】
【請求項１】
台車と、
前記台車上に設けられ被介護者の胸部を支えるための胸支持部と、
相対的な距離関係が可変な複数のプレートを有し、前記被介護者の臀部を支えるための臀部支持部と、
前記台車上に設けられ前記臀部支持部を昇降する昇降手段と、
前記複数のプレートの相対的な距離関係を制御する制御手段とを備え、
前記臀部支持部は、前記台車を着座姿勢の被介護者側に移動させることによって前記被介護者の臀部の下に差し込まれ、前記昇降手段による持ち上げ動作によって前記被介護者の臀部を支えて持ち上げることを特徴とする介護用リフト装置。
【請求項２】
前記複数のプレートの各一端側が前記昇降手段に回転自在に保持されると共に、
前記制御手段は、前記複数のプレートの各他端側が相互に離れる方向に前記複数のプレートを付勢する付勢手段と、前記付勢手段の付勢力に抗して前記複数のプレートの各他端側が相互に近づく方向に操作する操作手段とを備え、
前記複数のプレートの各他端は、前記操作手段の操作により前記付勢手段の付勢力に抗して相互に近づく方向に動き、前記操作手段の操作解除により前記付勢手段の付勢力によって相互に離れる方向に動くことを特徴とする請求項１記載の介護用リフト装置。
【請求項３】
台車上に設けられ被介護者の胸部を支えるための胸支持部と、
相対的な距離関係が可変な複数のプレートを有し、前記被介護者の臀部を支えるための臀部支持部と、
前記台車上に設けられ前記臀部支持部を昇降する昇降手段と、
前記複数のプレートの相対的な距離関係を制御する制御手段とを備え、
前記操作手段の操作によって前記各プレートの他端側を近接させ、
前記台車を被介護者側に移動させることによって着座姿勢にある被介護者の臀部下に前記臀部支持部を差し込み、
前記操作手段の操作解除によって前記各プレートの他端側を相互に離れた位置に動かした後、前記昇降手段によって前記被介護者の臀部を持ち上げて支え、
前記臀部支持部に臀部を支えられた被介護者の胸部を前記胸支持部によって支えるようにして成ることを特徴とする移乗方法。
【請求項４】
前記臀部支持部に臀部を支えられた被介護者の胸部を前記胸支持部によって支えた状態で前記被介護者の移動先まで前記台車を移動させ、
前記昇降手段によって前記被介護者を前記移動先に着座させ、
前記各プレートを前記被介護者の両足に当接させながら前記差し込み方向とは反対方向に前記台車を移動させることによって、前記付勢手段の付勢力に抗して前記各プレートを相互に近接させて前記臀部支持部を前記被介護者の臀部から取り除くようにして成ることを特徴とする請求項３記載の移乗方法。
【発明の詳細な説明】
【技術分野】
【０００１】
本発明は、車椅子等の移動元からベッドやトイレ等の移動先に被介護者を移乗させることが可能な介護用リフト装置及び移乗方法に関する。
【背景技術】
【０００２】
従来から、車椅子やベッド等の移動元に居る被介護者をトイレ等の移動先へ移乗させるための装置である移乗装置が開発されている。
従来の移乗装置として、被介護者を収容したハンモックをアームにハンガを介して吊下げ、リフタによりアームを昇降させることにより、ハンモックに収容した被介護者をベッドから移動先に移乗させるようにしたものがある。
【０００３】
前記移乗装置では、ハンモックを被介護者の体の下に敷かねばならず、その作業が煩雑である。移乗後もハンモックが被介護者の体の下に残るため、ハンモックから被介護者を取り出す作業が煩雑である。また、移動可能なリフトとハンモックを組合わせる場合、被介護者の姿勢を安定を保つため、身体及び機器の水平投影面積が大きくなって、室内の広範な移動は非常に難しくなる。また、被介護者を収容したハンモックを上から吊り下げるために、ハンモックが移動時に振子の様に振られて被介護者に不安感をもたせる事になる。また、ズボン及びパンツなどのずり下ろし作業が困難かもしくは不可能である。さらに構成が複雑である等の問題がある。
【０００４】
特許文献１には、前記問題を解決して簡単な構成で被介護者を移乗させるようにした移乗装置の一種である介護用リフト装置が開示されている。
特許文献１に記載された移乗装置は、着座姿勢にある被介護者の正面側から移乗装置を接近させ、被介護者の臀部とベッドの隙間から座部プレートを差し込んで臀部の下に配置させる。この状態で座部プレートを上方あるいは移乗装置側に傾動させることによって、被介護者を座部プレートで支え、又、胸当てパッドや腋部サポートによって支える。これによって被介護者を移乗装置に移乗させる。被介護者を座部プレート上に支えた状態で移乗装置を移動先へ移動させた後、前記と逆の工程を行うことによって、被介護者を便座等の移動先へ移乗させる。これにより、ハンモックや従来のリフタ等の大掛かりな介護用装置を使用することなく、簡単な構成で被介護者を移乗させることが可能になる。
【０００５】
しかしながら、特許文献１記載の発明では、被介護者を安定した状態で移乗装置に着座させる場合、座部プレートは被介護者の臀部全域を支える大きさにする必要があるため、座部プレートをある程度大きく形成する必要がある。
近年、小型の車椅子等が増えており、被介護者が着座領域の狭い車椅子に着座している状態で移乗させる場合、座部プレートが着座領域より大きく着座領域に挿入できない場合がある。この場合、座部プレートを被介護者の臀部と車椅子の間に差し込むことができず、移乗させることができないという問題がある。
この問題を解決する方法として、座部プレートを小型化する方法が考えられるが、小型の座部プレートでは被介護者をバランスよく安定に支えることが困難という問題がある。
【先行技術文献】
【特許文献】
【０００６】
【特許文献１】特開２００５−３２８９５０号公報
【発明の概要】
【発明が解決しようとする課題】
【０００７】
本発明は、前記問題に鑑み成されたもので、ハンモック等ような大掛かりな介護用装置を用いることなく、簡単な構成で、狭い着座領域に着座している被介護者を安定して移乗させることができるようにすることを課題としている。
【課題を解決するための手段】
【０００８】
本発明によれば、台車と、前記台車上に設けられ被介護者の胸部を支えるための胸支持部と、相対的な距離関係が可変な複数のプレートを有し、前記被介護者の臀部を支えるための臀部支持部と、前記台車上に設けられ前記臀部支持部を昇降する昇降手段と、前記複数のプレートの相対的な距離関係を制御する制御手段とを備え、前記臀部支持部は、前記台車を着座姿勢の被介護者側に移動させることによって前記被介護者の臀部の下に差し込まれ、前記昇降手段による持ち上げ動作によって前記被介護者の臀部を支えて持ち上げることを特徴とする介護用リフト装置が提供される。
臀部支持部は、台車を着座姿勢の被介護者側に移動させることによって前記被介護者の臀部下に差し込まれ、昇降手段による持ち上げ動作によって前記被介護者の臀部を支えて持ち上げる。
【０００９】
ここで、前記複数のプレートの各一端側が前記昇降手段に回転自在に保持されると共に、前記制御手段は、前記複数のプレートの各他端側が相互に離れる方向に前記複数のプレートを付勢する付勢手段と、前記付勢手段の付勢力に抗して前記複数のプレートの各他端側が相互に近づく方向に操作する操作手段とを備え、前記複数のプレートの各他端は、前記操作手段の操作により前記付勢手段の付勢力に抗して相互に近づく方向に動き、前記操作手段の操作解除により前記付勢手段の付勢力によって相互に離れる方向に動くように構成してもよい。
【００１０】
また、本発明によれば、台車上に設けられ被介護者の胸部を支えるための胸支持部と、相対的な距離関係が可変な複数のプレートを有し、前記被介護者の臀部を支えるための臀部支持部と、前記台車上に設けられ前記臀部支持部を昇降する昇降手段と、前記複数のプレートの相対的な距離関係を制御する制御手段とを備え、前記操作手段の操作によって前記各プレートの他端側を近接させ、前記台車を被介護者側に移動させることによって着座姿勢にある被介護者の臀部下に前記臀部支持部を差し込み、前記操作手段の操作解除によって前記各プレートの他端側を相互に離れた位置に動かした後、前記昇降手段によって前記被介護者の臀部を持ち上げて支え、前記臀部支持部に臀部を支えられた被介護者の胸部を前記胸支持部によって支えるようにして成ることを特徴とする移乗方法が提供される。
【００１１】
操作手段の操作によって臀部支持部を構成する各プレートの他端側を近接させ、台車を被介護者側に移動させることによって着座姿勢にある被介護者の臀部下に前記臀部支持部を差し込み、前記操作手段の操作解除によって前記各プレートの他端側を相互に離れた位置に動かした後、前記昇降手段によって前記被介護者の臀部を持ち上げて支え、前記臀部支持部に臀部を支えられた被介護者の胸部を胸支持部によって支える。
【００１２】
ここで、前記臀部支持部に臀部を支えられた被介護者の胸部を前記胸支持部によって支えた状態で前記被介護者の移動先まで前記台車を移動させ、前記昇降手段によって前記被介護者を前記移動先に着座させ、前記各プレートを前記被介護者の両足に当接させながら前記差し込み方向とは反対方向に前記台車を移動させることによって、前記付勢手段の付勢力に抗して前記各プレートを相互に近接させて前記臀部支持部を前記被介護者の臀部から取り除くように構成してもよい。
【発明の効果】
【００１３】
本発明の介護用リフト装置によれば、ハンモック等のような大掛かりな介護用装置を用いることなく、簡単な構成で、狭い着座領域に着座している被介護者を安定して移乗させることが可能になる。
また、本発明の移乗方法によれば、ハンモック等のような大掛かりな介護用装置を用いることなく、簡単に、狭い着座領域に着座している被介護者を安定して移乗させることが可能になる。
【図面の簡単な説明】
【００１４】
【図１】本発明の実施の形態に係る介護用リフト装置の斜視図である。
【図２】本発明の実施の形態に係る介護用リフト装置の正面図である。
【図３】本発明の実施の形態に係る介護用リフト装置の平面図である。
【図４】本発明の実施の形態に係る介護用リフト装置の右側面図である。
【図５】本発明の実施の形態に係る介護用リフト装置の一部の詳細図である。
【図６】本発明の実施の形態に係る介護用リフト装置の使用方法を説明する説明図である。
【図７】本発明の実施の形態に係る介護用リフト装置の使用方法を説明する説明図である。
【図８】本発明の実施の形態に係る介護用リフト装置の使用方法を説明する説明図である。
【発明を実施するための形態】
【００１５】
以下、本発明の実施の形態に係る介護用リフト装置、及び、着座姿勢にある被介護者を移動先に着座させる移乗方法について説明する。尚、各図において同一部分には同一符号を付している。
図１は本発明の実施の形態に係る介護用リフト装置の外観を示す斜視図である。また、図２〜図４は、各々、本発明の実施の形態に係る介護用リフト装置の正面図、平面図、右側面図である。
【００１６】
介護用リフト装置１００は、移動元の着座姿勢にある被介護者を支持部によって持ち上げて支えた状態で移動先へ移動し着座させる装置であり、図１の斜視図に示すように、台車１０１、矢印Ａ方向（台車１０１から離れる上方向及び台車１０１に近づく下方向）に上下動可能に台車１０１上に配設された支持部１０２、支持部１０２に取り付けられた操作部１０３を備えている。
台車１０１は、被介護者が足を載せる足台１０４、介護用リフト装置１００を移動可能にする４つの車１０５、支持部１０２を支持するための略Ｌ字型の支持具１０６を備えている。前方に設けられた２つの車１０５、１０５は、相互に所定の間隔を有する脚部に各々取り付けられている。前記各脚部間に所定の間隙が設けられているため被介護者が車椅子やベッド等に着座している状態でも、障害物をよけて容易に、被介護者を支持部１０２に近づけることが可能になる。
【００１７】
支持部１０２は、被介護者の臀部を下から支える臀部支持部１１０、被介護者が臀部支持部１１０上に座った状態で該被介護者の胸部を支える胸支持部としても機能する支持部本体１１４を備えている。臀部支持部１１０と支持部本体１１４は一体となって上下方向（矢印Ａ方向）に上下動するように構成されている。また、臀部支持部１１０と支持部本体１１４は一体となって、軸１０７を中心として操作部１０３方向（矢印Ｂ方向）に所定角度傾動できるように構成されている。
臀部支持部１１０は、相互の距離関係が可変な複数のプレート（本実施の形態では２つのプレート（第１プレート１０８、第２プレート１０９））を備えている。各プレート１０８、１０９は略「く」字型の板状部材によって構成されている。
【００１８】
支持部本体１１４はその内部に、モータシリンダを構成するモータ１１３、シリンダ１１２及びロッド１１１を備えている。ロッド１１１の一端は軸１０７によって支持具１０６に取り付けられている。操作スイッチ１１９を操作することによってモータ１１３を一方向、あるいは、他方向に選択的に回転させることにより、シリンダ１１２がロッド１１１に沿って上下動し、臀部支持部１１０及び支持部本体１１４が一体となって矢印Ａ方向に上下動する。
【００１９】
操作部１０３は、支持部本体１１４に固定されたハンドル１１８、ハンドル１１８に取り付けられた操作レバー１１５、操作レバー１１５と臀部支持部１１０を連結する操作ケーブル１１６、操作ケーブル１１６及び操作レバー１１５をハンドル１１８に取り付ける固定具１１７を備えている。ハンドル１１８を手前（矢印Ｂ方向である介護者（図示せず）側）に引き操作することにより、軸１０７を中心としてハンドル１１８方向（矢印Ｂ方向）に臀部支持部１１０及び支持部本体１１４を所定角度（例えば１０度）傾けることができる。図示しない保持機構により、臀部支持部１１０及び支持部本体１１４は前記所定角度傾いた状態で保持される。
【００２０】
介護用リフト装置１００の一部構成の詳細を図５に示すように、操作ケーブル１１６は、外皮であるフレキシブルチューブ１３１内に金属製のワイヤ１３２を摺動可能に配置した構成のケーブルであり、フレキシブルチューブ１３１の一端は固定具１１７によってハンドル１１８に固定され、その他端は固定具１３３によって支持部本体１１４に固定されている。
【００２１】
臀部支持部１１０を構成するプレート１０８、１０９の一端５０１、５０２は、各々、軸５０５、５０６によって回転自在に支持部本体１１４に取り付けられている。プレート１０８、１０９には軸５０５、５０６を中心として回転する歯車１２１、１２２が一体に設けられており、歯車１２１、１２２は相互に噛合している。
プレート１０８、１０９の一端５０１、５０２は、バネ部材１２３によって連結されている。バネ部材１２３は収縮力が生じるように取り付けられているため、プレート１０８、１０９の一端５０１、５０２側は軸５０５、５０６を軸としてバネ部材１２３によって相互に近づく方向に付勢され、プレート１０８、１０９の他端５０３、５０４側は軸５０５、５０６を軸として離れる方向に付勢されている。
【００２２】
したがって、操作レバー１１５が操作されていない図５の初期状態では、実線で示すように、プレート１０８、１０９の他端５０３、５０４側は相互に所定距離離れた状態に保持されると共に、一端５０１、５０２側が所定距離内に近接した状態に保持されている。前記初期状態で、プレート１０８、１０９が、着座状態にある被介護者の臀部の下部全体を安定して支えるように構成されている。
尚、プレート１０８、１０９の一端５０１、５０２、バネ部材１２３、歯車１２１、１２２及び軸５０５、５０６は支持部本体１１４内に設けられているが、図３及び図５では説明の便宜上、これらの構成要素を露出した状態で示している。
【００２３】
操作レバー１１５をハンドル１１８側に引き操作すると、バネ部材１２３の付勢力（本実施の形態では収縮力）に抗して、プレート１０８の一端５０１側が軸５０５を回転軸として反時計回りに回転する。プレート１０８の回転は歯車１２１、１２２を介してプレート１０９に伝達され、プレート１０９の一端５０２側は時計回りに回転する。これにより、操作レバー１１５を操作することによって、プレート１０８、１０９の他端５０３、５０４が相互に所定距離内に近接する位置（図５の破線の位置）まで、プレート１０８、１０９を回転移動させることができる。この場合、プレート１０８、１０９の一端５０１、５０２は相互に所定距離離れた位置（図５の破線の位置）まで回転移動する。
操作レバー１１５の操作を解除すると、バネ部材１２３の付勢力（収縮力）によって歯車１２１、１２２が噛合しながら前記とは逆方向に回転する結果、プレート１０８、１０９が各々時計回り、反時計回りに回転し、他端５０３、５０４が相互に所定距離離れるとともに一端５０１、５０２が相互に近接する図５の初期位置（実線の位置）まで戻る。
【００２４】
ここで、軸１０７、支持部本体１１４、ハンドル１１８、操作スイッチ１１９は昇降手段を構成している。操作レバー１１５、操作ケーブル１１６、歯車１２１、１２２及びバネ部材１２３は制御手段を構成している。バネ部材１２３は付勢手段を構成し、操作レバー１１５及び操作ケーブル１１６は操作手段を構成している。
図６〜図８は、本発明の実施の形態に係る介護用リフト装置を使用して被介護者を移乗させる方法を示す説明図である。
【００２５】
以下、図１〜図８を用いて、本発明の実施の形態の動作を詳細に説明する。
先ず、図６に示すように、被介護者６０２が車椅子６０１上に着座している状態で、介護者６０３は、被介護者６０２の前方から、介護用リフト装置１００を前方（被介護者６０２方向である矢印Ｃ方向）に移動させ、被介護者６０２の近傍に位置させる。
次に、介護者６０３は、操作スイッチ１１９を操作することによって支持部本体１１４を上下動させて臀部支持部１１０の高さを調整し、臀部支持部１１０が被介護者６０２の臀部と車椅子６０１の座面との間に位置するように設定する。
【００２６】
次に、介護者６０３は、操作レバー１１５を引き操作することによって臀部支持部１１０のプレート１０８、１０９の他端５０３、５０４を近接させて図５の破線で示す状態に位置させる。
この状態で介護者６０３は、図７に示すように介護用リフト装置１００を更に前方に進めて、プレート１０８、１０９を他端５０３、５０４側から被介護者６０２の臀部と車椅子６０１の座面との間に挿入した後、操作レバー１１５の操作を解除する。これにより、バネ部材１２３の付勢力（収縮力）によってプレート１０８、１０９の他端５０３、５０４が相互に離れた位置（図５の初期位置）に戻り、プレート１０８、１０９は被介護者６０２の臀部全体をバランスよく支えることが可能な状態に配置される。
【００２７】
このように、臀部支持部１１０を構成するプレート１０８、１０９の離間距離を小さくした状態で被介護者６０２の臀部下へ挿入するようにしているため、車椅子６０１の着座空間の幅が狭い場合でも、臀部支持部１１０が車椅子６０１の構成物とぶつかることなく、臀部支持部１１０をスムーズに臀部と座面間に挿入することが可能になる。
また、臀部支持部１１０を臀部と座面間に挿入した後にプレート１０８、１０９の離間距離を大きくした状態で被介護者６０２を支え上げるようにしているため、被介護者６０２をバランスよく安定した状態で支えることが可能になる。
【００２８】
次に、介護者６０３は、ハンドル１１８を下げ操作（図７において時計回り（矢印Ｂ方向）に傾ける操作）することによって、支持部本体１１４を、軸１０７を中心として矢印Ｂ方向に前記所定角度傾ける。臀部支持部１１０は支持部本体１１４とともに時計回りに前記所定角度傾き、被介護者６０２を臀部支持部１１０上に着座した状態で持ち上げることができる。
【００２９】
これにより、被介護者６０２は臀部支持部１１０によって支え上げられ又、被介護者６０２の胸が支持部本体１１４に当接して当該胸が支持部本体１１４よって支えられることになる。被介護者６０２は自己の両腕で支持部本体１１４を抱くようにすることによって、より安全に支えられることになる。以上のようにして、被介護者６０２を車椅子６０１から介護用リフト装置１００に移乗させることができる。
尚、被介護者６０２を臀部支持部１１０によって支え上げるとき、操作スイッチ１１９を操作することによって臀部支持部１１０を上方へ移動させるようにしてもよい。また、前述した臀部支持部１１０を傾ける操作と上方への移動操作の両方を行うようにしてもよい。
【００３０】
介護者６０３は、前記の如くして被介護者６０２を坐部プレート１１０上に支えた状態で、介護用リフト装置１００を後方（図８の矢印Ｄ方向）に引くことによって被介護者６０２を車椅子６０１から離し、ベッドやトイレ等の移動先へ移動させる。
介護者６０３は、被介護者６０２をベッド等の移動先に着座させる場合、先ず、操作スイッチ１１９を操作することによって臀部支持部１１０の高さを着座させる面よりも高い位置に合わせた後、介護用リフト装置１００を移動先方向へ前進させて、被介護者６０２を支えた状態の臀部支持部１１０を移動先の座面上方に位置させる。
【００３１】
次に介護者６０３は、操作スイッチ１１９を操作することによって臀部支持部１１０を前記座面近傍まで下げた後、ハンドル１１８を上方（矢印Ｂの反対方向）へ操作することによって支持部本体１１４及び臀部支持部１１０を傾かない初期状態に戻して臀部支持部１１０を前記座面に当接させる。
この状態で介護者６０３が被介護者６０２の臀部を浮かせながら介護用リフト装置１００を後進させて移動先から引き離すことにより、被介護者６０２は前記座面上に着座して、介護用リフト装置１００から移動先への移乗が完了する。これにより、車椅子６０１から移動先への移乗が完了する。
【００３２】
尚、臀部支持部１１０のプレート１０８、１０９は、バネ部材１２３の付勢力によって他端５０３、５０４が離れるように付勢されているため、介護用リフト装置１００を後進させて移動先から離す際に、プレート１０８、１０９が被介護者６０２の両足に当たることになる。この場合、プレート１０８、１０９が被介護者６０２の両足に当たることによって狭まり、プレート１０８、１０９が被介護者６０２の両足間を支障なく通過できるような強さにバネ部材１２３の付勢力を設定しておく。これにより、介護用リフト装置１００を、着座が完了した被介護者６０２から容易に離すことが可能になる。
【００３３】
以上述べたように、本実施の形態に係る介護用リフト装置によれば、操作レバー１１５を操作することによって臀部支持部１１０の各プレート１０８、１０９の他端５０３、５０４側を近接させ、台車１０１を被介護者側に移動させることによって着座姿勢にある被介護者の臀部下に臀部支持部１１０を差し込み、操作レバー１１５の操作解除によって各プレート１０８、１０９の他端５０３、５０４側を相互に離れた位置に動かした後、ハンドル１１８を下方向（矢印Ｂ方向）に傾けることによって支持部本体１１４を所定角度だけ傾動させる。これにより、臀部支持部１１０を上方に傾けて、被介護者６０２を臀部支持部１１０上に着座した状態で持ち上げて支える。被介護者６０２の胸部は支持部本体１１４によって支えられる。また、操作スイッチ１１９の操作によってモータシリンダを上方向に伸ばすことによって支持部本体１１４を上方向に移動させ、これによっても臀部支持部１１０を上方向に移動させて被介護者６０２を支えるようにしている。
【００３４】
したがって、ハンモックや従来のリフタ等のような大掛かりな介護用装置を用いることなく、簡単な構成で、狭い着座領域に着座している被介護者を安定して移乗させることが可能になる。
また、本発明の実施の形態に係る移乗方法によれば、ハンモックや従来のリフタ等のような大掛かりな介護用装置を用いることなく、簡単な構成で、狭い着座領域に着座している被介護者を安定して移乗させることが可能になるという効果を奏する。
【００３５】
尚、前記実施の形態では、主に車椅子の例で説明したが、車椅子、ベッド、トイレ、腰掛け、車等との相互間の移乗、搬送等、被介護者を着座姿勢で移乗させる装置に利用可能である。
また、前記実施の形態では、ハンドル１１８の操作によって坐部プレート１１０及び支持部本体１１４を所定角度傾斜させるように構成したが、足で傾動を操作する操作機構を設け、足の操作によって坐部プレート１１０及び支持部本体１１４を所定角度傾斜させるように構成してもよい。
【産業上の利用可能性】
【００３６】
車椅子、ベッド、トイレ、腰掛け、車等との相互間の移乗、搬送等、被介護者を着座姿勢で移乗させる装置に利用可能である。
【符号の説明】
【００３７】
１００・・・介護用リフト装置
１０１・・・台車
１０２・・・支持部
１０３・・・操作部
１０４・・・足台
１０５・・・車
１０６・・・支持具
１０７・・・軸
１１０・・・臀部支持部
１１４・・・支持部本体
１０８、１０９・・・プレート
１１３・・・モータ
１１２・・・シリンダ
１１１・・・ロッド
１１９・・・操作スイッチ
１１８・・・ハンドル
１１５・・・操作レバー
１１６・・・操作ケーブル
１１７、１３３・・・固定具
１３１・・・フレキシブルチューブ
１３２・・・ワイヤ
５０１、５０２・・・一端
５０５、５０６・・・軸
１２１、１２２・・・歯車
１２３・・・バネ部材
５０３、５０４・・・他端
６０１・・・車椅子
６０２・・・被介護者
６０３・・・介護者
【図１】
2010246792.tif 000003
【図２】
2010246792.tif 000004
【図３】
2010246792.tif 000005
【図４】
2010246792.tif 000006
【図５】
2010246792.tif 000007
【図６】
2010246792.tif 000008
【図７】
2010246792.tif 000009
【図８】
2010246792.tif 000010